(57)【要約】【課題】本開示は、外表面の外観を維持しつつ、光源の点灯時に表示を行うことができる表示装置を提供する。【解決手段】本開示の表示装置（１）は、第１層（２）と、第２層（３）とを備える。第１層（２）は、遮光部（２ａ）と、平面視において遮光部（２ａ）に囲まれた透光部（２ｂ）とを含む。第２層（３）は、光源（７）からの光のうち少なくとも可視光を透過光として透過させる性質を有する。第２層（３）は、光源（７）が点灯しない場合に透光部（２ｂ）と遮光部（２ａ）との境界を視認させくくする。第２層（３）は、光源（７）が点灯する場合に前記透過光を視認可能にする。【選択図】図１
2019066657.tif 000002
【特許請求の範囲】
【請求項１】
表示装置であって、
遮光部と、平面視において前記遮光部に囲まれた透光部とを含む第１層と、
光源からの光のうち少なくとも可視光を透過光として透過させる性質を有する第２層と、
を備え、
前記第２層は、前記光源が点灯しない場合に前記透光部と前記遮光部との境界を視認させにくくし、前記光源が点灯する場合に前記透過光を視認可能にする、表示装置。
【請求項２】
前記第２層は、漆を含有する、請求項１に記載の表示装置。
【請求項３】
前記表示装置の厚み方向において、前記第１層と前記第２層との間、又は前記第１層に対して前記第２層とは反対側に配置された基材を更に備え、
前記基材は、透光部を含み、
平面視において、前記第１層の透光部は、前記基材の透光部の投影領域内に配置されている、請求項１又は２に記載の表示装置。
【請求項４】
前記表示装置の厚み方向において、前記第１層と前記第２層との間、又は前記第１層に対して前記第２層とは反対側に配置されたスモーク層を更に備え、
前記スモーク層は、前記光源からの光のうち、前記スモーク層を透過する前記透過光の透過率を低減する、請求項１又は２に記載の表示装置。
【請求項５】
前記表示装置の厚み方向において、前記第１層と前記第２層との間、又は前記第１層に対して前記第２層とは反対側に配置されたスモーク層を更に備え、
前記スモーク層は、前記光源からの光のうち、前記スモーク層を透過する前記透過光の透過率を低減する、請求項３に記載の表示装置。
【請求項６】
前記スモーク層は、前記第１層の表面に配置されている、請求項４に記載の表示装置。
【請求項７】
前記スモーク層は、前記第１層と前記基材との間に配置されている、請求項５に記載の表示装置。
【請求項８】
前記表示装置の厚み方向において、前記第１層と前記第２層との間、又は前記第１層に対して前記第２層とは反対側に配置された電極層を更に備える、請求項１〜７のいずれか１項に記載の表示装置。
【請求項９】
前記第１層の透光部は、孔の集合体を含む、請求項１〜８のいずれか１項に記載の表示装置。
【請求項１０】
前記第２層は、加飾層を備え、
前記加飾層は、顔料、染料、及び光散乱材のうち少なくとも１種の成分を含有する、請求項１〜９のいずれか１項に記載の表示装置。
【請求項１１】
前記第２層は、漆を含有する漆含有層を備え、
前記漆含有層は、顔料、染料、及び光散乱材のうち少なくとも１種の成分を更に含有する、請求項１〜１０のいずれか１項に記載の表示装置。
【請求項１２】
前記第２層は、漆を含有する漆含有層を更に備え、
前記漆含有層は、顔料、染料、及び光散乱材のうち少なくとも１種の成分を更に含有し、
前記加飾層と前記漆含有層との間に配置された紫外線硬化樹脂層を更に備え、
前記紫外線硬化樹脂層は、前記加飾層と前記漆含有層とを接着している、請求項１０に記載の表示装置。
【請求項１３】
電極層と、加飾層と、漆含有層と、を更に備え、
前記第１層、前記電極層、前記加飾層、及び前記漆含有層のうち少なくとも１層がフィルムから構成される、請求項１〜９のいずれか１項に記載の表示装置。
【請求項１４】
請求項１〜１３のいずれか１項に記載の表示装置と、光源と、を備える、表示システム。
【請求項１５】
外装材と、光源とを備え、
前記外装材は、請求項１〜１３のいずれか１項に記載の表示装置を含む、電気機器。
【発明の詳細な説明】
【技術分野】
【０００１】
本開示は、表示装置、表示システム、及び電気機器に関し、より詳細には、光源の点灯時に表示を行うことができる表示装置、それを備える表示システム、及びそれを備える電気機器に関する。
【背景技術】
【０００２】
従来、部材表面に漆塗りを施して、部材表面における艶等の外観を向上させることが行われている。
【０００３】
例えば、特許文献１には、照明装置が開示されている。この照明装置は、電球と、ガラスに漆塗りされたシェードとを備えている。
【０００４】
しかし、このようなシェードは光を透過させにくい。このため、電球からの光をシェードを介して得るには、シェードに穴を設ける必要があり、この穴によりシェード表面の外観が低下してしまう場合がある。
【先行技術文献】
【特許文献】
【０００５】
【特許文献１】登録実用新案第３０４９６９１号公報
【発明の概要】
【発明が解決しようとする課題】
【０００６】
本開示は上記の点に鑑みてなされたものであり、本開示の目的は、外表面の外観を維持しつつ、光源の点灯時に表示を行うことができる表示装置、表示システム、及び電気機器を提供することである。
【課題を解決するための手段】
【０００７】
本開示の一態様に係る表示装置は、遮光部と、平面視において前記遮光部に囲まれた透光部とを含む第１層と、光源からの光のうち少なくとも可視光を透過光として透過させる性質を有する第２層と、を備える。前記第２層は、前記光源が点灯しない場合に前記透光部と前記遮光部との境界を視認させにくくし、前記光源が点灯する場合に前記透過光を視認可能にする。
【０００８】
本開示の一態様に係る表示システムは、前記表示装置と、光源と、を備える。
【０００９】
本開示の一態様に係る電気機器は、外装材と、光源と、を備える。前記外装材は、前記表示装置を含む。
【発明の効果】
【００１０】
本開示によれば、外表面の外観を維持しつつ、光源の点灯時に表示を行うことができる。
【図面の簡単な説明】
【００１１】
【図１】図１Ａは、本開示の第１実施形態に係る表示装置の一例を概要で示す分解斜視図である。図１Ｂは、同上の表示装置の変形例を概略で示す縦断面図である。
【図２】図２Ａは、本開示の第２実施形態に係る表示装置の一例を概略で示す縦断面図である。図２Ｂは、同上の表示装置の変形例を概略で示す縦断面図である。
【図３】図３Ａは、本開示の第３実施形態に係る表示装置の一例を概略で示す縦断面図である。図３Ｂは、同上の表示装置の変形例を概略で示す縦断面図である。
【図４】図４Ａは、本開示の第４実施形態に係る表示装置の一例を概略で示す分解斜視図である。図４Ｂは、同上の表示装置の変形例を概略で示す縦断面図である。図４Ｃは、同上の表示装置において、図４Ｂとは別の変形例を概略で示す縦断面図である。図４Ｄは、同上の表示装置において、更に別の変形例を概略で示す縦断面図である。
【図５】図５Ａは、本開示の第５実施形態に係る表示装置の一例を概要で示す分解斜視図である。図５Ｂは、同上の表示装置の変形例を概略で示す縦断面図である。
【図６】図６Ａは、本開示の第６実施形態に係る表示装置の一例を概要で示す縦断面図である。図６Ｂは、同上の表示装置の変形例を概略で示す縦断面図である。
【図７】図７Ａは、本開示の第７実施形態に係る表示装置の一例を概要で示す縦断面図である。図７Ｂは、同上の表示装置の変形例を概略で示す縦断面図である。
【図８】図８Ａ〜図８Ｃの各々は、本開示の一実施形態に係る表示装置の製造方法において、その途中段階の一例を概略で示す縦断面図である。
【図９】図９は、本開示の一実施形態に係る表示システムの一例を概略で示すブロック図である。
【図１０】図１０Ａは、本開示の一実施形態に係る表示システムにおいて、光源を点灯させた場合の外観を示す写真である。図１０Ｂは、同上の表示システムにおいて、光源を消灯させた場合の外観を示す写真である。
【図１１】図１１Ａは、図１０Ａの表示システムにおいて、表示装置の外表面の一部を拡大させた写真である。図１１Ｂは、同上の表示システムにおいて、光源の消灯時に表示装置の外表面の一部を拡大させた写真である。
【図１２】図１２Ａは、図１０Ａの表示システムにおいて、光源を変えて表示装置の外表面の一部を拡大させた写真である。図１２Ｂは、同上の表示システムにおいて、光源の消灯時に表示装置の外表面の一部を拡大させた写真である。
【図１３】図１３Ａは、本開示の一実施形態に係る表示システムにおいて、光源を点灯させた場合の外観を示す写真である。図１３Ｂは、同上の表示システムにおいて、光源を消灯させた場合の外観を示す写真である。
【図１４】図１４Ａは、図１３Ａの表示システムにおいて、表示装置の外表面の一部を拡大させた写真である。図１４Ｂは、同上の表示システムにおいて、光源の消灯時に表示装置の外表面の一部を拡大させた写真である。
【図１５】図１５Ａは、本開示の一実施形態に係る表示システムにおいて、光源の点灯時に表示装置の外表面の一部を拡大させた写真である。図１５Ｂは、同上の表示システムにおいて、光源の消灯時に表示装置の外表面の一部を拡大させた写真である。
【図１６】図１６は、本開示の一実施形態に係る電気機器の一例を概略で示す正面図である。
【発明を実施するための形態】
【００１２】
＜表示装置＞
まず、表示装置１を、図１Ａ〜図７Ｂを参照して説明する。
【００１３】
（第１実施形態）
図１Ａ、及び図１Ｂの各々は、本実施形態に係る表示装置１を概略で示している。
【００１４】
表示装置１は、第１層２と、第２層３とを備える。第１層２は、遮光部２ａと、平面視において遮光部２ａに囲まれた透光部（第１透光部）２ｂとを含む。第２層３は、光源７からの光のうち少なくとも可視光を透過光として透過させる性質を有する。さらに、第２層３は、光源７が点灯しない場合に透光部２ｂと遮光部２ａとの境界を視認させにくくし、光源７が点灯する場合に透過光を視認可能にする。このように透光部２ｂが光源７からの光のうち少なくとも可視光を透過することで、表示装置１の外表面の外観を維持しつつ、光源７の点灯時に表示を行うことができる。また、平面視において、透光部２ｂが文字等の模様を構成している場合、光源７の点灯時に、この模様を表示装置１にて表示することができる。
【００１５】
透光部２ｂと遮光部２ａとの境界は、平面視における透光部２ｂの外周縁、言い換えれば遮光部２ａの内周縁である。遮光部２ａは、光源７からの光のうち、遮光部２ａに照射された可視光を遮り、この遮られた可視光を第２層３へ透過させなければよく、遮光部２ａの具体的な態様は特に限定されない。例えば、遮光部２ａは、シート状の金属部材（金属フィルム）から形成されてもよく、又は黒色塗料等の遮光塗料の硬化物であってもよい。すなわち、遮光部２ａは、表示装置１の製造時に遮光塗料を塗布して硬化させたものでもよく、遮光性の樹脂材料を予めシート状に硬化させた遮光性の樹脂フィルムから形成されてもよく、又は金属フィルムから形成されてもよい。
【００１６】
透光部２ｂは、少なくとも可視光を透過できればよく、透光部２ｂの具体的な態様は特に限定されない。例えば、透光部２ｂは、ガラス、及びプラスチック等の透光部材から形成されてもよく、又は平面視において遮光部２ａに囲まれた空間であってもよい。このような透光部２ｂは、平面視において文字等の模様となるようにして形成されている。また、透光部２ｂが透光部材から形成されている場合、この透光部材は、着色されていてもよく、又は着色されていなくてもよい。透光部材が着色されていない場合、透光部材は着色成分を含有しない。
【００１７】
第２層３は、その外表面が表示装置１の外表面となるようにして配置されている。これにより、第１層２は、表示装置１の厚み方向において、第２層３の受光面側に配置されている。すなわち、第１層２は、表示装置１の厚み方向において、第２層３と光源７との間に配置されている。例えば、光源７は、基板上に一列に並べらて配置される複数のＬＥＤ（Ｌｉｇｈｔ  Ｅｍｉｔｔｉｎｇ  Ｄｉｏｄｅ）で構成される。
【００１８】
また、第２層３は、漆を含有する。漆はウルシオールを含有するため、第２層３は、ウルシオールを含有する。表示装置１がこのような第２層３を備えることで、漆器の艶、及び色深さ等の外観を、表示装置１の外表面で表現することができる。また、第２層３は、アルケニルカテコール、アルケノイルカテコール、アルケニルレゾルシン、アルケノイルレゾルシン、アルケニルヒドロキノン、及びアルケノイルヒドロキノンのうち少なくとも１種の成分を含有してもよい。この場合、第２層３は、この成分を漆の代わりに含有してもよく、又はこの成分、及び漆を含有してもよい。
【００１９】
第２層３が漆を含有する場合、第２層３は、この漆を含有する漆含有層３２を備える。漆含有層３２は、その外表面が表示装置１の外表面となるようにして配置されている。漆含有層３２は、紫外線硬化性化合物を更に含有する。すなわち、漆含有層３２は、漆と、紫外線硬化性化合物とを含む組成物（以下、組成物（Ａ）という）の硬化物である。このため、漆含有層３２は、表示装置１の製造時に組成物（Ａ）を塗布して硬化させたものであってもよく、又は組成物（Ａ）を予めシート状に硬化させたフィルムから形成されてもよい。
【００２０】
紫外線硬化性化合物は、光重合開始剤の作用により硬化する化合物であればよく、紫外線硬化性化合物の具体的な態様は特に限定されるものではない。紫外線硬化性化合物は、例えば、モノマー、オリゴマー、プレポリマー、及び高分子重合体のうち１種、又は２種以上の成分を含有できる。
【００２１】
紫外線硬化性化合物として、例えば、（メタ）アクリル系化合物、及びエポキシ系化合物が挙げられる。そして、これらの化合物のうち、１種、又は２種以上の化合物を紫外線硬化性化合物は含有できる。（メタ）アクリル系化合物は、アクリレート系化合物、及びメタクリレート系化合物のうち少なくとも一方の化合物である。
【００２２】
紫外線硬化性化合物がエポキシ系化合物を含有する場合、ウルシオール等のフェノール誘導体中の水酸基と、エポキシ系化合物中のエポキシ基とを反応させることができる。このようにして水酸基と、エポキシ基とを反応させることで、漆含有層３２の耐光性を向上させることができる。また、漆器のようなフェノール誘導体の縮合反応が生じなくても組成物（Ａ）を硬化させて漆含有層３２を得ることができるため、表示装置１の製造効率を高めることができる。さらに漆器よりも漆含有層３２を少なくすることができるため、表示装置１の製造効率を高めることができる。
【００２３】
紫外線硬化性化合物が（メタ）アクリル系化合物を含有する場合、漆器のようなフェノール誘導体の縮合反応が生じなくても組成物（Ａ）を硬化させて漆含有層３２を得ることができるため、表示装置１の製造効率を高めることができる。さらに漆器よりも漆含有層３２を少なくすることができるため、表示装置１の製造効率を高めることができる。
【００２４】
本実施形態では、漆器よりも漆含有層３２を少なくして表示装置１の製造効率を高めるために、第２層３は、少なくとも１層の漆含有層３２を備える。すなわち、第２層３は、１層の漆含有層３２を備えるか、又は複数の漆含有層３２を備える。第２層３が複数の漆含有層３２を備える場合、表示装置１の厚み方向において漆含有層３２の各々を互いに密着させている。この場合、表示装置１の製造効率を高めることができ、さらに第２層３が可視光を透過させることができればよく、漆含有層３２の数は適宜に調節できる。
【００２５】
光重合開始剤として、例えば、光カチオン重合開始剤、及び光ラジカル重合開始剤が挙げられる。
【００２６】
紫外線硬化性化合物がエポキシ系化合物を含有する場合、組成物（Ａ）は光カチオン重合開始剤を更に含有する。光カチオン重合開始剤は、光によってカチオンを生成してエポキシ系化合物のエポキシ基を開環重合させる重合開始剤である。光カチオン重合開始剤は、特に限定されることなく、適宜の光カチオン重合開始剤を含むことができる。
【００２７】
紫外線硬化性化合物が（メタ）アクリル系化合物を含有する場合、組成物（Ａ）は光重合開始剤を更に含有する。光重合開始剤は、光によって（メタ）アクリル系化合物のエチレン性不飽和基を重合させる重合開始剤である。光重合開始剤は、特に限定されることなく、適宜の光重合開始剤を含むことができる。
【００２８】
また、第２層３は、加飾層３１を更に備える。この加飾層３１は、顔料、染料、及び光散乱材のうち少なくとも１種の成分を含有する。また、この成分の他、加飾層３１は、ウレタン樹脂等の透光性を有する適宜の樹脂成分を含有する。このような加飾層３１を第２層３が備えることで、光源７の消灯時に透光部２ｂと遮光部２ａとの境界を視認させにくくできる。これにより、光源７の消灯時に透光部２ｂと遮光部２ａとを目視で区別させにくくできる。顔料、及び染料は、光源７の点灯時における加飾層３１の透光性を確保しながら、加飾層３１を着色する成分であればよく、顔料、及び染料の具体的な態様は特に限定されない。顔料として、例えば、赤色顔料が挙げられる。染料として、例えば、赤色染料が挙げられる。また、光散乱材は、光源７の点灯時における加飾層３１の透光性を確保しながら、加飾層３１中の光を散乱させればよく、光散乱材の具体的な態様は特に限定されない。光散乱材として、例えば、ラメ材が挙げられる。
【００２９】
加飾層３１は、顔料、染料、及び光散乱材のうち少なくとも１種の成分と、上述の樹脂成分とを含有する組成物（Ｂ）の硬化物である。このため、加飾層３１は、表示装置１の製造時に組成物（Ｂ）を塗布して硬化させることで形成されてもよく、又は組成物（Ｂ）を予めシート状に硬化させたフィルムから形成されてもよい。
【００３０】
加飾層３１が顔料、及び染料のうち少なくとも１種の着色成分を含有する場合、加飾層３１はこの着色成分を含有する第１加飾層３１ａを備える。この場合、光源７の消灯時に透光部２ｂと遮光部２ａとの境界を視認させにくくし、また、光源７の点灯時に透光部２ｂと遮光部２ａとの境界を視認させやすくできればよく、第１加飾層３１ａ中の着色成分の含有量は適宜に調節できる。光源７の点灯時に透光部２ｂと遮光部２ａとの境界を視認させやすくすることで、文字等の模様を表示装置１で表示させることができる。第１加飾層３１ａは赤色の着色成分を含有することが好ましい。また、第１加飾層３１ａは、光散乱材を含有してもよく、又は含有しなくてもよい。
【００３１】
加飾層３１が光散乱材を含有する場合、加飾層３１はこの光散乱材を含有する第２加飾層３１ｂを備える。この場合、光源７の消灯時に透光部２ｂと遮光部２ａとの境界を視認させにくくし、また、光源７の点灯時に透光部２ｂと遮光部２ａとの境界を視認させやすくできればよく、第２加飾層３１ｂ中の光散乱材の含有量は適宜に調節できる。光源７の点灯時に透光部２ｂと遮光部２ａとの境界を視認させやすくすることで、文字等の模様を表示装置１で表示させることができる。また、第２加飾層３１ｂは、上記の着色成分を更に含有してもよく、又は含有しなくてもよい。
【００３２】
また、第２層３が、漆含有層３２、第１加飾層３１ａ、及び第２加飾層３１ｂを備える場合、第１加飾層３１ａは、漆含有層３２、及び第２加飾層３１ｂの間に配置される。また、第１加飾層３１ａは、漆含有層３２と、第２加飾層３１ｂとに密着していてもよい。
【００３３】
また、表示装置１は、基材４を更に備える。この基材４は、表示装置１の厚み方向において、第１層２と第２層３との間、又は第１層２に対して第２層３とは反対側に配置されている。さらに、基材４は、略板状に形成されており、第１面４０１、及び基材４の厚み方向において第１面４０１とは反対側に位置する第２面４０２を含む。また、基材４は、本体４１を含む。そして、この本体４１は、透光部（第２透光部）４ａを含む。平面視において、透光部４ａの投影領域内に透光部２ｂが配置されている。基材４が透光部４ａを含むことで、光源７からの光のうち少なくとも可視光が透光部４ａ、及び透光部２ｂを透過しやすくなる。本体４１は、板状に形成されている。
【００３４】
本体４１は、透光性を有する部材から形成されていればよく、本体４１の具体的な態様は特に限定されない。本体４１として、例えば、ガラス、及びプラスチック等の透光部材が挙げられる。また、プラスチックとして、例えば、ポリカーボネートが挙げられる。
【００３５】
表示装置１が基材４を備える場合、例えば、図１Ａのように第１層２、及び第２層３を、この順で基材４の第１面４０１に積層させるこで表示装置１が形成される。具体的には、第１層２、第２加飾層３１ｂ、第１加飾層３１ａ、及び漆含有層３２が、この順で基材４の第１面４０１に積層される。また、図１Ｂのように第１面４０１に第２層３が配置され、第２面４０２に第１層２が配置されてもよい。具体的には、第２加飾層３１ｂ、第１加飾層３１ａ、及び漆含有層３２がこの順で第１面４０１に積層されて第１層２が第２面４０２に配置されてもよい。また、透光部２ｂが遮光部２ａに囲まれた空間である場合、図１Ｂのように第２面４０２に第１層２が配置されることで、第２層３の一部が空間の透光部２ｂ内に配置されなくなる。
【００３６】
光源７の消灯時に、第２層３が透光部２ｂと遮光部２ａとの境界を視認させにくくできれば、表示装置１は、後述のスモーク層５を備えてもよく、又は備えなくてもよい。
【００３７】
表示装置１は、光源７を備えてもよい。また、後述の表示システム１０が光源７を備える場合、表示装置１は、光源７を備えなくてもよい。
【００３８】
（第２実施形態）
図２Ａ、及び図２Ｂの各々は、本実施形態に係る表示装置１を概略で示している。第１実施形態と重複する構成は、図２Ａ、及び図２Ｂに同じ符号を付して、詳細な説明を省略する。
【００３９】
本実施形態に係る表示装置１は、スモーク層５を更に備える。このスモーク層５は、表示装置１の厚み方向において、第１層２と第２層３との間、又は第１層２に対して第２層３とは反対側に配置されている。さらに、スモーク層５は、スモーク層５を透過する透過光の透過率を低減する。表示装置１がスモーク層５を備えることで、光源７ではなく、表示装置１の外側の別の光源から照射された可視光が表示装置１を透過しにくくなり、さらに光源７側で反射した可視光も表示装置１を透過しにくくなる。これにより、光源７の消灯時に透光部２ｂと遮光部２ａとの境界を視認させにくくできる。すなわち、光源７の消灯時に透光部２ｂと遮光部２ａとを目視で区別させにくくできる。
【００４０】
本実施形態に係るスモーク層５は、第１層２の表面に配置されている。この場合、スモーク層５は、例えば、図２Ａのように第１層２、及び第２層３（具体的には、第２加飾層３１ｂ）の間に配置されてもよい。さらに、このスモーク層５は、第１層２と、第２層３とに密着していてもよい。また、図２Ｂのように基材４の第２面４０２に、第１層２、及びスモーク層５がこの順で積層されてもよい。このスモーク層５は第１層２と密着していてもよい。
【００４１】
本実施形態において、光源７の点灯時に透光部２ｂと遮光部２ａとの境界を視認させやすくし、また、光源７の消灯時に透光部２ｂと遮光部２ａとの境界を視認させにくくできればよく、スモーク層５の可視光透過率は適宜に調節できる。光源７の点灯時に透光部２ｂと遮光部２ａとの境界を視認させやすくすることで、文字等の模様を表示装置１で表示させることができる。なお、スモーク層５の可視光透過率は、ＪＩＳ  Ｓ  ３１０７に準拠して測定される。
【００４２】
また、スモーク層５は、着色成分の含有量、及び厚みが調節されて適宜の可視光透過率を有する樹脂フィルムであってもよい。また、スモーク層５は、その厚みが調節されて適宜の可視光透過率を有する金属薄膜であってもよい。スモーク層５は、このスモーク層５を透過する可視光の透過率を低減できればよく、スモーク層５の具体的な態様は特に限定されない。スモーク層５を構成する材料として、例えば、スモークフィルム、偏光フィルム、スモーク塗料、及び金属薄膜が挙げられる。上記の材料のうち、スモークフィルムは、例えば、窓ガラスに利用でき、黒色、又は茶色のウィンドウフィルムであってもよい。また、スモーク塗料は、これを透光部材の表面に塗布して硬化させることでスモークフィルムに形成できる塗料であってもよい。
【００４３】
（第３実施形態）
図３Ａ、及び図３Ｂの各々は、本実施形態に係る表示装置１を概略で示している。第１、及び第２実施形態と重複する構成は、図３Ａ、及び図３Ｂに同じ符号を付して、詳細な説明を省略する。
【００４４】
本実施形態に係る表示装置１では、スモーク層５は、第１層２と基材４との間に配置されていている。この場合、例えば、図３Ａのようにスモーク層５、及び第１層２がこの順で基材４の第１面４０１に積層されていてもよい。また、図３Ｂのようにスモーク層５、及び第１層２がこの順で基材４の第２面４０２に積層されていてもよい。スモーク層５は、基材４と、第１層２とに密着していてもよい。スモーク層５が第１層２と基材４との間に配置されていることで、光源７の消灯時に、透光部２ｂと遮光部２ａとの境界を視認させにくくできる。具体的には、光源７の消灯時に、この光源７ではなく、表示システム１０の外側の別の光源から照射された可視光が、スモーク層５により、表示装置１を透過しにくくなる。さらに光源７側で反射した可視光も、スモーク層５により、表示装置１を透過しにくくなる。これにより、光源７の消灯時に透光部２ｂと遮光部２ａとの境界を視認させにくくできる。
【００４５】
（第４実施形態）
図４Ａ〜図４Ｄの各々は、本実施形態に係る表示装置１を概略で示している。第１実施形態と重複する構成は、図４Ａ〜図４Ｄに同じ符号を付して、詳細な説明を省略する。
【００４６】
本実施形態に係る表示装置１は、電極層６を更に備える。この電極層６は、表示装置１の厚み方向において、第１層２と第２層３との間、又は第１層２に対して第２層３とは反対側に配置されている。この場合、例えば、図４Ａのように電極層６、及び第１層２がこの順で第１面４０１に積層されてもよく、この電極層６は、基材４と、第１層２とに密着していてもよい。また、図４Ｂのように第１層２、電極層６、及び第２層３がこの順で第１面４０１に積層されていてもよく、この電極層６は、第１層２と、第２層３とに密着していてもよい。図４Ｃのように電極層６、及び第１層２がこの順で第２面４０２に積層されてもよく、この電極層６は、基材４と、第１層２とに密着していてもよい。図４Ｄのように電極層６、及び第２層３がこの順で第１面４０１に積層されてもよく、この電極層６は、基材４と、第２層３とに密着していてもよい。表示装置１が電極層６を備えることで、表示装置１は、例えば、静電容量式、又は抵抗膜式のタッチパネルディスプレイの一部材として機能できる。
【００４７】
また、電極層６は、支持層６２と、この支持層６２の表面に配置された導電部６１と、を含む。
【００４８】
支持層６２は、透光性、及び電気絶縁性を有し、導電部６１を支持する。特に、図４Ｂ、及び図４Ｃのような透光部２ｂが遮光部２ａに囲まれた空間であっても、支持層６２は、導電部６１を透光部２ｂ中に配置させることなく支持することができる。支持層６２は、透光性、及び電気絶縁性を有し、導電部６１を支持することができればよく、支持層６２の具体的な態様は特に限定されない。支持層６２は、例えば、樹脂フィルム等の電気絶縁性を有する透光部材から形成されていてもよく、又は透光性、及び電気絶縁性を有する適宜の樹脂組成物の硬化物であってもよい。
【００４９】
導電部６１は、透光性を有する導体配線である。導電部６１が透光性を有していれば、導電部６１は、適宜の導電性材料から形成できる。このため、導電部６１の具体的な態様は特に限定されない。
【００５０】
電極層６は、表示装置１の製造中に、上記の樹脂組成物を塗布して支持層６２を形成した後、この支持層６２に導電性材料を塗布、又はスパッタにより積層して導電部６１を形成することで作製されてもよい。または、電極層６は、予め、シート状に形成された樹脂組成物の硬化物と、導電部６１とを積層させたフィルムから形成されてもよい。
【００５１】
導電部６１は、図４Ａのように、第１配線６１ａ、及び第２配線６１ｂを含む。平面視において、第１配線６１ａの投影領域内に透光部２ｂが配置されている。この場合、第１配線６１ａは、表示装置１の厚み方向において、透光部２ｂと重なる位置に配置されている。また、平面視において、第１配線６１ａは、透光部４ａの投影領域内に配置されている。さらに、第２配線６１ｂは、電極層６の外周縁と、第１配線６１ａとを接続している。
【００５２】
また、表示装置１では、第１層２、電極層６、加飾層３１、及び漆含有層３２のうち少なくとも１層がフィルムから構成されていてもよい。この場合、表示装置１の製造前に予めフィルムを製造でき、そして、このようなフィルムを用いることで、表示装置１の製造時の工程のうち、少なくとも１つの工程を簡素化できる。
【００５３】
なお、表示装置１は、スモーク層５を備えてもよく、又は備えなくてもよい。
【００５４】
（第５実施形態）
図５Ａ、及び図５Ｂの各々は、本実施形態に係る表示装置１を概略で示している。第１実施形態と重複する構成は、図５Ａ、及び図５Ｂに同じ符号を付して、詳細な説明を省略する。
【００５５】
本実施形態に係る表示装置１では、透光部２ｂは、複数の孔２ｃの集合体を含む。この孔２ｃの各々は、表示装置１の厚み方向に沿って、第１層２を貫通している。また、孔２ｃの各々は、透光性を有するプラスチック等の透光部材から形成されてもよく、又は平面視において遮光部２ａに囲まれた空間であってもよい。透光部２ｂが孔２ｃの集合体を含むことで、光源７の点灯時に、この光源７からの光のうち、孔２ｃの集合体を透過光として透過した少なくとも可視光を視認できる。これにより、光源７の点灯時に、文字等の模様を表示装置１にて表示させることができる。
【００５６】
なお、表示装置１は、スモーク層５を備えてもよく、又は備えなくてもよい。
【００５７】
（第６実施形態）
図６Ａ、及び図６Ｂの各々は、本実施形態に係る表示装置１を概略で示している。第１実施形態と重複する構成は、図６Ａ、及び図６Ｂに同じ符号を付して、詳細な説明を省略する。
【００５８】
本実施形態に係る表示装置１では、漆含有層３２は、顔料、染料、及び光散乱材のうち少なくとも１種の成分を更に含有する。この成分を漆含有層３２が含有することで、表示装置１の外観を向上させることができる。さらに、光源７の消灯時に透光部２ｂと遮光部２ａとの境界を視認させにくくできる。上記の成分のうち、顔料、及び染料は、光源７の点灯時における漆含有層３２の透光性を確保しながら、漆含有層３２を着色できれば、適宜の成分を採用できる。光散乱材は、光源７の点灯時における漆含有層３２の透光性を確保しながら、漆含有層３２中の光を散乱させればよく、光散乱材の具体的な態様は特に限定されない。光散乱材として、例えば、ラメ材が挙げられる。
【００５９】
漆含有層３２が顔料、及び染料のうち少なくとも１種の着色成分を含有する場合、第２層３が色濃くなるため、表示装置１の外観を向上させることができる。さらに、光源７の消灯時に透光部２ｂと遮光部２ａとの境界を視認させにくくできる。また、漆含有層３２中の着色成分の含有量は、光源７の点灯時に、第２層３で透光性を得ることができ、文字等の模様を表示装置１で表示できる量に適宜に調節できる。漆含有層３２は赤色の着色成分を含有することが好ましい。
【００６０】
また、漆含有層３２が光散乱材を含有する場合、この光散乱材により、表示装置１の外観を向上させることができる。さらに、光源７の消灯時に透光部２ｂと遮光部２ａとの境界を視認させにくくできる。また、漆含有層３２中の光散乱材の含有量は、光源７の点灯時に、第２層３で透光性を得ることができ、文字等の模様を表示装置１で表示できる量に適宜に調節できる。
【００６１】
なお、表示装置１は、スモーク層５を備えてもよく、又は備えなくてもよい。
【００６２】
（第７実施形態）
図７Ａ、及び図７Ｂの各々は、本実施形態に係る表示装置１を概略で示している。第１実施形態と重複する構成は、図７Ａ、及び図７Ｂに同じ符号を付して、詳細な説明を省略する。
【００６３】
本実施形態に係る表示装置１では、第２層３は、紫外線硬化樹脂層３３を更に備える。この紫外線硬化樹脂層３３は、加飾層３１と、漆含有層３２との間に配置されている。紫外線硬化樹脂層３３は、加飾層３１と、漆含有層３２とを接着している。具体的には、紫外線硬化樹脂層３３は、第１加飾層３１ａと、漆含有層３２とを接着している。第２層３が紫外線硬化樹脂層３３を備えることで、表示装置１は漆含有層３２を強く保持できる。言い換えると、紫外線硬化樹脂層３３は、加飾層３１と漆含有層３２との間の密着性を向上させることができる。このため、表示装置１の外表面に衝撃等の外力が与えられても、表示装置１の外観を低減させにくくできる。
【００６４】
紫外線硬化樹脂層３３は、光源７からの光のうち、少なくとも可視光を透過でき、次の組成物（Ｃ）の硬化物から形成される。この組成物（Ｃ）は紫外線により硬化でき、この硬化物が少なくとも可視光を透過できればよく、組成物（Ｃ）の具体的な態様は特に限定されない。組成物（Ｃ）は、例えば、漆含有層３２と同様の紫外線硬化性化合物、及び光重合開始剤を含有することが望ましい。この場合、紫外線硬化樹脂層３３は、加飾層３１と漆含有層３２との間の密着性を向上させることができる。
【００６５】
なお、表示装置１は、スモーク層５を備えてもよく、又は備えなくてもよい。
【００６６】
＜表示装置の製造方法＞
次に、一実施形態に係る表示装置１の製造方法を、図８Ａ〜図８Ｃを参照して説明する。図８Ａ〜図８Ｃの各々は、本実施形態に係る製造方法において、その途中段階の一例を概略で示す。第１実施形態〜実施形態７と重複する構成は、図８Ａ〜図８Ｃに同じ符号を付して、詳細な説明を省略する。
【００６７】
まず、透光性を有する樹脂シート４２を用意する。そして、この樹脂シート４２に、インクジェット印刷等の適宜の印刷方法で、第１層２、スモーク層５、電極層６、第２加飾層３１ｂ、及び第１加飾層３１ａをこの順で積層して積層体を作製する。この積層体のうち、樹脂シート４２を本体４１に重ねる。続いて、本体４１の外表面と、第１加飾層３１ａの外表面との両方から加圧しながら加熱することで、本体４１と樹脂シート４２とを一体化させて基材４を作製する。その後、第１加飾層３１ａの外表面に、適宜の印刷方法で、紫外線硬化樹脂層３３、及び漆含有層３２をこの順で積層させる。また、紫外線硬化樹脂層３３、及び漆含有層３２を形成するにあたって、組成物（Ａ）、及び組成物（Ｃ）をこの順で塗布した後、この塗布された組成物（Ａ）、及び組成物（Ｃ）に紫外線を照射することで硬化させることができる。また、塗布された組成物（Ａ）、及び組成物（Ｃ）を個別に紫外線を照射して紫外線硬化樹脂層３３、及び漆含有層３２を形成してもよい。樹脂シート４２は、本体４１と同様の材料から形成できる。
【００６８】
本実施形態に係る製造方法では、上記に限らず、例えば、第１層２、スモーク層５、電極層６、第２加飾層３１ｂ、及び第１加飾層３１ａの各々は、スプレー等の塗装方法で、予めフィルム状に形成されてもよい。この場合、第１層２、スモーク層５、電極層６、第２加飾層３１ｂ、及び第１加飾層３１ａがこの順で本体４１に積層されるため、樹脂シート４２を用いなくてもよい。このように樹脂シート４２を用いない場合、本体４１は基材４を構成する。
【００６９】
また、第１層２、スモーク層５、電極層６、第２加飾層３１ｂ、及び第１加飾層３１ａのうち少なくとも１層は印刷で形成され、残りの層は、フィルムから形成されてもよい。このようなフィルムは、予め塗装により形成されてもよい。
【００７０】
第１層２が印刷で形成される場合、透光部２ｂ以外の位置に遮光塗料を塗布して硬化させることで透光部２ｂ、及び遮光部２ａを形成できる。また、透光部２ｂにクリア塗料を、遮光部２ａに遮光塗料を使って第１層２を形成してもよい。この場合、透光部２ｂと遮光部２ａとの間に段差が生じにくくなるため、光源７の消灯時に透光部２ｂと遮光部２ａとの境界を視認させにくくできる。また、第１層２がフィルムから形成される場合、積層前に遮光塗料、遮光性の樹脂材料、又は金属からなるフィルムにレーザ等の適宜の方法で透光部２ｂを形成できる。これに伴って、透光部２ｂ以外の位置で遮光部２ａを形成できる。
【００７１】
本実施形態に係る製造方法では、基材４、第１層２、スモーク層５、及び電極層６の積層順を変更することができる。
【００７２】
また、本実施形態に係る製造方法に基いて図１Ａ〜図７Ｂの各々の表示装置１を作製する際、本実施形態に係る製造方法は、スモーク層５、電極層６、及び紫外線硬化樹脂層３３のうち少なくとも１層を形成することを除くことができる。
【００７３】
＜表示システム＞
次に、一実施形態に係る表示システムを、図９〜図１５Ｂを参照して説明する。
【００７４】
本実施形態に係る表示システム１０は、表示装置１を備える。このため、図９〜図１５Ｂの各々に表示装置１の詳細な符号が付されていなくても、表示システム１０（特に、表示装置１）は、第１実施形態〜第７実施形態の説明を参照できる。
【００７５】
図９のような表示システム１０は、表示装置１と、光源７とを備える。この場合、表示システム１０は、光源７の点灯時に、この光源７からの光のうち、透過光として透光部２ｂを透過した少なくとも可視光を視認可能にする。これにより、光源７の点灯時に、文字等の模様を表示装置１にて表示させることができる。
【００７６】
表示システム１０は、通信部１２、及び表示制御部１３を更に備える。この表示システム１０のうち、通信部１２、表示制御部１３、及び光源７が電気的に接続されている。そして、通信部１２は、情報端末１１との通信機能を有している。情報端末１１と、通信部１２との間の通信方式は、有線方式、又は無線方式のいずれであってもよく、通信方式の具体的な態様は特に限定されない。
【００７７】
情報端末１１は、操作部、及び表示部を備える。利用者が情報端末１１の操作部を押すことで、情報端末１１中に操作信号が生成される。そして、通信部１２が情報端末１１との通信機能を有することで、情報端末１１からの操作信号を表示制御部１３が処理して光源７の点灯、及び消灯を制御する。
【００７８】
また、表示装置１が電極層６を備える場合、第２配線６１ｂが表示制御部１３に接続されている。表示装置１が静電容量式タッチパネルディスプレイの一部材として機能する場合、利用者が表示装置１の外表面に触れた際に発生する静電容量の変化が検出される。そして、この検出結果に応じて、表示制御部１３は、光源７の点灯、消灯、及び情報端末１１への通信のうち少なくとも１つを実行する。表示制御部１３が情報端末１１への通信を実行した場合、表示制御部１３からの通信信号が情報端末１１で受信される。その後、表示制御部１３からの通信信号に基いて、情報端末１１は、例えば、利用者が表示装置１に触れたことを表示部で表示する。
【００７９】
情報端末１１として、例えば、リモートコントロール（ｒｅｍｏｔｅ  ｃｏｎｔｒｏｌ）、スマートフォン、及びパーソナルコンピュータが挙げられる。
【００８０】
表示制御部１３は、例えば、ＣＰＵ（Ｃｅｎｔｒａｌ  Ｐｒｏｃｅｓｓｉｎｇ  Ｕｎｉｔ）、及びメモリを備える。この場合、ＣＰＵがメモリ内のプログラムを実行する。これにより、表示制御部１３は、光源７の点灯、消灯、及び情報端末１１への通信のうち少なくとも１つを実行できる。
【００８１】
また、以下では、写真を参照して表示システム１０を具体的に説明するが、この説明は、表示システム１０、及びこの表示システム１０が含む構成を特に限定しない。
【００８２】
図１０Ａのような表示システム１０において、表示装置１は、漆含有層３２、赤色顔料を含有する第１加飾層３１ａ、散乱材を含有する第２加飾層３１ｂ、スモーク層５、及び第１層２とを備えている。
【００８３】
図１０Ａの写真では、表示システム１０（表示装置１）が示されている。そして、情報端末１１の操作部が押されることで情報端末１１が作動し、これにより、光源７が点灯する。このように光源７が点灯することで、光源７からの光のうち、透過光として透光部２ｂを透過した少なくとも可視光を視認することが可能となる。すなわち、光源７の点灯時に模様が表示装置１で表示される。なお、表示システム１０では、表示装置１の下に光源７が配置されているため、光源７は図１０Ａの写真に示されていない。
【００８４】
表示システム１０において、光源７の点灯後、情報端末１１の操作部が押されることで情報端末１１が作動し、これにより、図１０Ｂのように光源７が消灯する。光源７が消灯することで、模様が表示装置１で表示されなくなり、透光部２ｂと遮光部２ａとの境界が視認されにくくなる。また、表示装置１は漆含有層３２を備えるため、光源７の消灯時に、表示装置１の外表面で漆器の艶、及び色深さ等の外観を表現することができる。
【００８５】
図１１Ａの写真では、光源７の点灯時に、図１０Ａの表示装置１の外表面の一部を拡大することで、第２層３が光散乱材を含有している態様がより明確に示されている。このように第２層３が光散乱材を含有していても、光源７の点灯時には、光源７からの光のうち、透光部２ｂを透過した可視光を視認することができ、これにより、透光部２ｂと遮光部２ａとの境界を視認できる。
【００８６】
また、図１１Ｂの写真では、光源７の消灯時に、この光源７ではなく、表示装置１の外側の別の光源から照射された光が光散乱材により第２層３中で乱反射する態様が、光源７の点灯時よりも目立って表現される。このため、光源７の消灯時では、透光部２ｂと遮光部２ａとの境界が視認されにくくなり、模様が表示装置１で表示されなくなる。
【００８７】
図１２Ａのような表示システム１０では、青色光を出力する光源が光源７として用いられ、この光源７以外は、図１０Ａ〜図１１Ｂの表示装置１と同じである。このように光源７の発光色を変えることで、表示装置１は、光源７の点灯時に、図１１Ａの模様と異なる色の模様を表示できる。また、図１２Ｂのように光源７を消灯させることで、図１０Ａ、及び図１１Ｂと同様に、透光部２ｂと遮光部２ａとの境界が視認されにくくなり、模様が表示装置１で表示されなくなる。
【００８８】
図１３Ａのような表示システム１０では、表示装置１は、赤色の着色成分と漆とを含有する漆含有層３２、赤色顔料を含有する第１加飾層３１ａ、スモーク層５、及び第１層２とを備えている。また、この表示装置１は、第２加飾層３１ｂを備えていない。すなわち、第２層３は、散乱材を含有していない。
【００８９】
また、表示システム１０は、図１０Ａ〜図１１Ｂの表示システム１０と同じ、白色光を出力する光源７を備えている。
【００９０】
また、図１３Ａの写真では、図１０Ａの表示システム１０と同様にして光源７を点灯させることで、模様を表示装置１で表示させることができる。
【００９１】
表示システム１０では、図１０Ｂの表示システム１０と同様にして光源７を消灯することで、図１３Ｂのように、透光部２ｂと遮光部２ａとの境界が視認されにくくなり、模様が表示装置１で表示されなくなる。
【００９２】
表示システム１０では、表示装置１が、上記の通り、赤色の着色成分を含有する漆含有層３２、及び赤色顔料を含有する第１加飾層３１ａを備えている。このため、表示装置１は、図１４Ａのように、光源７の点灯時に、図１１Ａの模様と異なる色の模様を表示できる。
【００９３】
表示システム１０では、表示装置１が第２加飾層３１ｂを備えていなくても、図１４Ｂのように、光源７の消灯時に、透光部２ｂと遮光部２ａとの境界を視認させにくくできる。具体的には、光源７の消灯時に、この光源７ではなく、表示システム１０の外側の別の光源から照射された可視光が、スモーク層５、赤色の漆含有層３２、及び赤色の第１加飾層３１ａにより、表示装置１を透過しにくくなる。さらに光源７側で反射した可視光も、スモーク層５、赤色の漆含有層３２、及び赤色の第１加飾層３１ａにより、表示装置１を透過しにくくなる。これにより、光源７の消灯時に透光部２ｂと遮光部２ａとの境界を視認させにくくできる。また、光源７の消灯時には、表示装置１の外表面で漆器の艶、及び色深さ等の外観を表現することができる。
【００９４】
図１５Ａのような表示システム１０において、表示装置１は、漆を含有する漆含有層３２、赤色顔料を含有する第１加飾層３１ａ、スモーク層５、及び第１層２とを備えている。そして、第１層２の透光部２ｂは、複数の孔２ｃの集合体を含んでいる。また、表示装置１は、第２加飾層３１ｂを備えていない。すなわち、第２層３は、散乱材を含有していない。
【００９５】
また、表示システム１０は、図１０Ａ〜図１１Ｂの表示システム１０と同じ、白色光を出力する光源７を備えている。
【００９６】
表示システム１０では、透光部２ｂが複数の孔２ｃの集合体を備えている。このため、図１０Ａの表示システム１０と同様にして光源７を点灯させることで、この光源７からの光のうち少なくとも可視光を透過光として孔２ｃの各々を透過させることができる。これにより、光源７の点灯時に、模様を表示装置１で表示できる。
【００９７】
図１５Ｂのように、表示システム１０では、表示装置１が第２加飾層３１ｂを備えていなくても、この表示装置１が赤色の第１加飾層３１ａ、及びスモーク層５を備えることで、光源７の消灯時に、透光部２ｂと遮光部２ａとの境界を視認させにくくできる。これにより、光源７の消灯時には、模様が表示装置１で表示されなくなる。また、光源７の消灯時には、表示装置１の外表面で漆器の艶、及び色深さ等の外観を表現することができる。
【００９８】
＜電気機器＞
次に、一実施形態に係る電気機器を、図１６を参照して説明する。
【００９９】
図１６のような電気機器９は、表示システム１０を備えている。このため、図１６に、表示システム１０、及びその詳細な構成の符号が付されていなくても、電気機器９は、表示システム１０、及び表示装置１の説明を参照できる。
【０１００】
電気機器９は、外装材８、及び光源７を備えている。そして、外装材８は、表示装置１を含む。この表示装置１は、その外表面を露出させることで外装材８の一部材を構成する。この場合、外装材８の外観を向上させることができる。
【０１０１】
電気機器９では、光源７に関連する情報端末１１の操作部（例えば、電源ボタン）を使用者が押した場合に、光源７を点灯、又は消灯させることができる。光源７の点灯時に、文字等の模様を表示装置１で表示させることができる。
【０１０２】
電気機器９は、表示システム１０を備えることができればよく、電気機器９の具体的な態様は特に限定されない。電気機器９として、例えば、テレビ、エアコン、洗濯機、及び冷蔵庫が挙げられる。
【０１０３】
（まとめ）
上記説明の通り、第１の態様は、表示装置（１）であって、第１層（２）と、第２層（３）とを備える。第１層（２）は、遮光部（２ａ）と、平面視において遮光部（２ａ）に囲まれた透光部（２ｂ）とを含む。第２層（３）は、光源（７）からの光のうち少なくとも可視光を透過光として透過させる性質を有する。第２層（３）は、光源（７）が点灯しない場合に透光部（２ｂ）と遮光部（２ａ）との境界を視認させにくくする。第２層（３）は、光源（７）が点灯する場合に透過光を視認可能にする。
【０１０４】
第１の態様によれば、表示装置（１）の外表面の外観を維持しつつ、光源（７）の点灯時に表示を行うことができる。
【０１０５】
第２の態様は、第１の態様の表示装置（１）であって、第２層（３）は、漆を含有する。
【０１０６】
第２の態様によれば、漆器の艶、及び色深さ等の外観を、表示装置（１）の外表面で表現することができる。
【０１０７】
第３の態様は、第１又は第２の態様の表示装置（１）であって、基材（４）を更に備える。基材（４）は、表示装置（１）の厚み方向において、第１層（２）と第２層（３）との間、又は第１層（２）に対して第２層（３）とは反対側に配置されている。基材（４）は、透光部（４ａ）を含む。平面視において、第１層（２）の透光部（２ｂ）は、基材（４）の透光部（４ａ）の投影領域内に配置されている。
【０１０８】
第３の態様によれば、光源（７）からの光のうち少なくとも可視光が透光部（４ａ）、及び透光部（２ｂ）を透過しやすくなる。
【０１０９】
第４の態様は、第１又は第２の態様の表示装置（１）であって、スモーク層（５）を更に備える。スモーク層（５）は、表示装置（１）の厚み方向において、第１層（２）と第２層（３）との間、又は第１層（２）に対して第２層（３）とは反対側に配置されている。スモーク層（５）は、光源（７）からの光のうち、スモーク層（５）を透過する透過光の透過率を低減する。
【０１１０】
第４の態様によれば、光源（７）の消灯時に、光源（７）ではなく、表示装置（１）の外側の別の光源から照射された可視光を表示装置（１）を透過させにくくできる。さらに光源（７）側で反射した可視光も表示装置（１）を透過させにくくできる。これにより、光源（７）の消灯時に透光部（２ｂ）と遮光部（２ａ）との境界を視認させにくくできる。
【０１１１】
第５の態様は、第３の態様の表示装置（１）であって、スモーク層（５）を更に備える。スモーク層（５）は、表示装置（１）の厚み方向において、第１層（２）と第２層（３）との間、又は第１層（２）に対して第２層（３）とは反対側に配置されている。スモーク層（５）は、光源（７）からの光のうち、スモーク層（５）を透過する透過光の透過率を低減する。
【０１１２】
第５の態様によれば、光源（７）の消灯時に、光源（７）ではなく、表示装置（１）の外側の別の光源から照射された可視光を表示装置（１）を透過させにくくできる。さらに光源（７）側で反射した可視光も表示装置（１）を透過させにくくできる。これにより、光源（７）の消灯時に透光部（２ｂ）と遮光部（２ａ）との境界を視認させにくくできる。
【０１１３】
第６の態様は、第４の態様の表示装置（１）であって、スモーク層（５）は、第１層（２）の表面に配置されている。
【０１１４】
第６の態様によれば、光源（７）の消灯時に、スモーク層（５）が可視光を透過させにくくするため、透光部（２ｂ）と遮光部（２ａ）との境界を視認させにくくできる。
【０１１５】
第７の態様は、第５の態様の表示装置（１）であって、スモーク層（５）は、第１層（２）と基材（４）との間に配置されている。
【０１１６】
第７の態様によれば、光源（７）の消灯時に、スモーク層（５）が可視光を透過させにくくするため、透光部（２ｂ）と遮光部（２ａ）との境界を視認させにくくできる。
【０１１７】
第８の態様は、第１〜第７の態様のうちのいずれか１つの表示装置（１）であって、電極層（６）を更に備える。電極層（６）は、表示装置（１）の厚み方向において、第１層（２）と第２層（３）との間、又は第１層（２）に対して第２層（３）とは反対側に配置されている。
【０１１８】
第８の態様によれば、表示装置（１）はタッチパネルディスプレイの一部材として機能できる。
【０１１９】
第９の態様は、第１〜第８の態様のうちのいずれか１つの表示装置（１）であって、透光部（２ｂ）は、孔（２ｃ）の集合体を含む。
【０１２０】
第９の態様によれば、光源（７）の点灯時に、この光源７からの光のうち、孔（２ｃ）の集合体を透過した少なくとも可視光を視認できる。これにより、光源（７）の点灯時に、文字等の模様を表示装置（１）にて表示させることができる。
【０１２１】
第１０の態様は、第１〜第９の態様のうちのいずれか１つの表示装置（１）であって、第２層（３）は、加飾層（３１）を備える。加飾層（３１）は、顔料、染料、及び光散乱材のうち少なくとも１種の成分を含有する。
【０１２２】
第１０の態様によれば、光源（７）の消灯時に、加飾層（３１）が、透光部（２ｂ）と遮光部（２ａ）との境界を視認させにくくできる。
【０１２３】
第１１の態様は、第１〜第１０の態様のうちのいずれか１つの表示装置（１）であって、第２層（３）は、漆を含有する漆含有層（３２）を備える。漆含有層（３２）は、顔料、染料、及び光散乱材のうち少なくとも１種の成分を更に含有する。
【０１２４】
第１１の態様によれば、漆器の艶、及び色深さ等の外観を、表示装置（１）の外表面で表現することができる。さらに、光源（７）の消灯時に、漆含有層（３２）が、透光部（２ｂ）と遮光部（２ａ）との境界を視認させにくくできる。
【０１２５】
第１２の態様は、第１０の態様の表示装置（１）であって、第２層（３）は、漆を含有する漆含有層（３２）を更に備える。漆含有層（３２）は、顔料、染料、及び光散乱材のうち少なくとも１種の成分を更に含有する。表示装置（１）は、紫外線硬化樹脂層（３３）を更に備える。紫外線硬化樹脂層（３３）は、加飾層（３１）と漆含有層（３２）との間に配置されている。紫外線硬化樹脂層（３３）は、加飾層（３１）と漆含有層（３２）とを接着している。
【０１２６】
第１２の態様によれば、紫外線硬化樹脂層（３３）が加飾層（３１）と漆含有層（３２）との間の密着性を向上させ、これにより、表示装置（１）は漆含有層（３２）を強く保持できるため、表示装置（１）の外観を低減させにくくできる。
【０１２７】
第１３の態様は、第１〜第９の態様のうちのいずれか１つの表示装置（１）であって、電極層（６）と、加飾層（３１）と、漆含有層（３２）と、を更に備える。第１層（２）、電極層（６）、加飾層（３１）、及び漆含有層（３２）のうち少なくとも１層がフィルムから構成されている。
【０１２８】
第１３の態様によれば、表示装置（１）の製造前に予めフィルムを製造でき、そして、このようなフィルムを用いることで、表示装置（１）の製造時の工程のうち、少なくとも１つの工程を簡素化できる。
【０１２９】
第１４の態様は、表示システム（１０）であって、表示装置（１）と、光源（７）と、を備える。表示装置（１）は、第１〜第１３の態様のうちのいずれか１つの表示装置である。
【０１３０】
第１４の態様によれば、表示装置（１）の外表面の外観を維持しつつ、光源（７）の点灯時に表示を行うことができる。
【０１３１】
第１５の態様は、電気機器（９）であって、外装材（８）と、光源（７）と、を備える。外装材（８）は、表示装置（１）を含む。表示装置（１）は、第１〜第１３の態様のうちのいずれか１つの表示装置である。
【０１３２】
第１５の態様によれば、外装材（８）が表示装置（１）を含むことで、表示装置（１）の外表面の外観を維持しつつ、光源（７）の点灯時に表示を行うことができる。
【符号の説明】
【０１３３】
１    表示装置
２    第１層
２ａ  遮光部
２ｂ  透光部
２ｃ  孔
３    第２層
３１  加飾層
３２  漆含有層
３３  紫外線硬化樹脂層
４    基材
４ａ  透光部
５    スモーク層
６    電極層
７    光源
８    外装材
９    電気機器
１０  表示システム
【図１】
2019066657.tif 000003
【図２】
2019066657.tif 000004
【図３】
2019066657.tif 000005
【図４】
2019066657.tif 000006
【図５】
2019066657.tif 000007
【図６】
2019066657.tif 000008
【図７】
2019066657.tif 000009
【図８】
2019066657.tif 000010
【図９】
2019066657.tif 000011
【図１０】
2019066657.tif 000012
【図１１】
2019066657.tif 000013
【図１２】
2019066657.tif 000014
【図１３】
2019066657.tif 000015
【図１４】
2019066657.tif 000016
【図１５】
2019066657.tif 000017
【図１６】
2019066657.tif 000018